(57)【要約】      （修正有）【課題】携帯電話端末表面の除菌やウィルス不活性化による感染症予防機能を有する携帯電話端末を提供する。【解決手段】折り畳み式、スライド式、スライド回転式等の携帯電話端末１００において、利用者が直接触れるか、口元に近接しうるデバイスある操作部３，表示パネル４，レシーバ６，マイク７を納める密閉空間を有する。前記携帯電話端末において、一対の筐体の少なくとも一方の対向面の縁を中央部よりも高く形成することによって、密閉空間が形成される。前記携帯電話機端末において、密閉空間内にオゾンを生成供給するためのオゾン生成部１５を設ける。【選択図】図１
2011124742.tif 000002
【特許請求の範囲】
【請求項１】
折り畳み式、スライド式、スライド回転式等の携帯電話端末において、利用者が直接触れるか、口元に近接しうるデバイスを納める密閉空間を有することを特徴とする携帯電話端末。
【請求項２】
請求項１に記載の携帯電話端末において、折り畳み、一方を他方に対して相対的にスライド、もしくはスライド回転による開閉動作可能な一対の筐体を備え、前記一対の筐体は閉成状態において対向面間に前記密閉空間を形成することを特徴とする携帯電話端末。
【請求項３】
請求項１又は２に記載の携帯電話端末において、前記一対の筐体の少なくとも一方の対向面の縁を中央部よりも高く形成することによって、前記密閉空間が形成されていることを特徴とする携帯電話端末。
【請求項４】
請求項１乃至３の内のいずれか一項に記載の携帯電話機端末において、前記密閉空間内にオゾンを生成供給するためのオゾン生成部を設けたことを特徴とする携帯電話端末。
【請求項５】
請求項４に記載の携帯電話端末において、前記オゾン生成部は、前記一対の筐体のいずれか一方の筐体内に設けられた電源部に接続され、放電を行う一対の電極を有していることを特徴とする携帯電話端末。
【請求項６】
請求項５に記載の携帯電話端末において、前記一対の電極は、コロナ放電、ストリーマ放電、及び無声放電の内のいずれか一種の放電を行うものであることを特徴とする携帯電話端末。
【請求項７】
請求項５に記載の携帯電話端末において、前記電源部は、前記一対の筐体の折り畳み、スライド、及びスライド回転のいずれか１種の開閉動作によって起電力を発生する発電機を有することを特徴とする携帯電話端末。
【請求項８】
請求項７に記載の携帯電話端末において、前記一対の筐体は、前記開閉動作を可能とさせる開閉動機構を備え、前記発電機は、前記開閉機構の動作に連動して発電することを特徴とする携帯電話端末。
【請求項９】
請求項７に記載の携帯電話端末において、前記オゾン発生部は、前記発電機の起電力によってオゾンを生成し、前記密閉空間内に前記オゾンを供給することを特徴とする携帯電話端末。
【請求項１０】
請求項１乃至９の内のいずれか一項に記載の携帯電話端末において、前記デバイスは、操作入力ボタン、レシーバ、マイク、及び表示デバイスの内の少なくとも１種であることを特徴とする携帯電話端末。
【発明の詳細な説明】
【技術分野】
【０００１】
本発明は、携帯電話端末に関し、詳しくは、除菌機能を備えた携帯電話端末に関する。
【背景技術】
【０００２】
近年、新型インフルエンザなど、感染症のパンデミックが発生しており、これら感染症に対する予防への重要性が高まっている。
【０００３】
一般的に携帯電話端末は屋外などで利用する場合も多いが、利用時は携帯電話端末の操作ボタンやスイッチ、タッチパネルなどを操作する必要があり、また通話時は携帯電話端末が利用者の口元に近接する。
【０００４】
このため、携帯電話端末の表面にウィルスや病原菌が付着していた場合、利用者が感染するおそれがある。
【０００５】
また、携帯電話端末の利用後に、別の利用者に携帯電話端末を貸す場合もありえるが、先の利用者が既に感染症等の感染者であった場合、後の利用者が感染する危険もある。
【０００６】
このような背景から、特許文献１においては、利用者が操作可能な操作部を、表面に有する装置本体と、各種情報を表示するための表示装置とからなる折り畳み式の携帯機器に紫外線による殺菌機能を備えたものを開示している。より詳しくは、特許文献１に開示された携帯機器は、表示装置が、装置本体に対して回動可能、且つ、装置本体の表面に対向可能に設けられている。そして、表示装置に紫外線を発光する発光手段を設け、筐体の折畳時に前記表示装置に対向する装置本体の表面に発光手段から紫外線を照射する構成を備えるものである。
【０００７】
特許文献1では、発光手段に動作を行わせるために内蔵した充電池による電源が用いられている。しかし、携帯電話による機能の他に、折り畳んで使用しない状態において、紫外線発光手段が動作する構成であるために充電池の電力消耗が激しい。
【０００８】
そこで、特許文献２では、携帯電話端末の充電池の電力消耗を抑制するために、必要時に内蔵電池の充電を行う充電器を備えた携帯端末装置が開示されている。具体的に特許文献２の折り畳み式携帯端末装置は、第１および第２筐体のそれぞれ一端をヒンジを介して旋回させて開閉可能に形成し、この開閉動作により発電機を動作させて内蔵された電池の充電器を備えている。特許文献２の電池の充電器は、第１および第２筐体の開閉動作をスライド動作に変換する開閉／スライド変換手段を設け、該開閉／スライド変換手段により発電機の磁石およびコイルを相互移動させて該コイルに起電力を誘起させるものである。
【０００９】
一方、特許文献３には、携帯電話端末内部に、香水や芳香剤、マイナスイオン剤、除菌剤などの液体を格納したものが開示されている。具体的に特許文献３の折り畳み型携帯電話機は、所定の液体を格納する液体格納手段と、所定の液体を外部に噴射する液体噴射口と、閉じた状態と開いた状態との間で、上部筐体及び下部筐体の配置位置を変える動作が行われた場合に、液体格納手段に格納されている前記所定の液体を前記液体噴射口から噴射する液体噴射手段とを有するものである。なお、特許文献２においては、液体噴射手段として、ヒンジ機構を液体噴射用ポンプとして用いている。
【００１０】
また、特許文献４では、携帯電話機にマイナスイオンを発生するイオン発生部を設けた構成が開示されている。具体的に、特許文献4では、マイナスイオンを発生するイオン発生部を内蔵もしくは外付けで備えているものであり、携帯電話機の操作に応じてマイナスイオンを発生するものである。
【先行技術文献】
【特許文献】
【００１１】
【特許文献１】特開２００６−１５７３８１号公報
【特許文献２】特開２００７−２３５５６２号公報
【特許文献３】特開２００６−１９７９４号公報
【特許文献４】特開２００９−１４７６５０号公報
【発明の概要】
【発明が解決しようとする課題】
【００１２】
しかしながら、特許文献１においては、折り畳んで使用しない場合では、紫外線を照射するために、発光ダイオードを個々の操作スイッチの裏面から照射するために、個々の発光ダイオードに電力を浪費するとともに、さらに、紫外線は光線であるために、影の部分が生じ易く、操作部の裏面側からでは、除菌が十分になされないという欠点を有した。
【００１３】
また、特許文献２のヒンジに設けられた充電器による起電力は微量であるために、充電機能を十分に果たすものではない。
【００１４】
従って、紫外線による除菌を用いたものではなく、除菌液や除菌ガスを用いた除菌機能を有するものが望ましいと考えられる。
【００１５】
しかしながら、特許文献３の携帯電話機においては、筐体の開閉動作のたびに、液体が噴霧される構成であって、除菌剤を用いた場合には、開成時に除菌剤を外部に噴霧されたり、操作部を濡らすことになり、使用できない。
【００１６】
また、特許文献４の携帯電話機のマイナスイオン発生部の動作は、除菌時のように、操作ボタン収納時、即ち、電話回線の切断時に行われるものではなく、通話時やスイッチの動作時、即ち、操作スイッチを使える状態において行うものではない。
【００１７】
そこで、本発明の技術的課題は、携帯電話端末表面の除菌やウィルス不活性化による感染症予防機能を有する携帯電話端末を提供することにある。
【課題を解決するための手段】
【００１８】
本発明によれば、折り畳み式、スライド式、スライド回転式等の携帯電話端末において、利用者が直接触れるか、口元に近接しうるデバイスを納める密閉空間を有することを特徴とする携帯電話端末が得られる。
【００１９】
また、本発明によれば、前記携帯電話端末において、折り畳み、一方を他方に対して相対的にスライド、もしくはスライド回転による開閉動作可能な一対の筐体を備え、前記一対の筐体は閉成状態において対向面間に前記密閉空間を形成することを特徴とする携帯電話端末が得られる。
【００２０】
また、本発明によれば、前記携帯電話端末において、前記一対の筐体の少なくとも一方の対向面の縁を中央部よりも高く形成することによって、前記密閉空間が形成されていることを特徴とする携帯電話端末が得られる。
【００２１】
また、本発明によれば、前記いずれか一つに記載の携帯電話機端末において、前記密閉空間内にオゾンを生成供給するためのオゾン生成部を設けたことを特徴とする携帯電話端末が得られる。
【００２２】
また、本発明によれば、前記携帯電話端末において、前記オゾン生成部は、前記一対の筐体のいずれか一方の筐体内に設けられた電源部に接続され、放電を行う一対の電極を有していることを特徴とする携帯電話端末が得られる。
【００２３】
また、本発明によれば、前記携帯電話端末において、前記一対の電極は、コロナ放電、ストリーマ放電、及び無声放電の内のいずれか一種の放電を行うものであることを特徴とする携帯電話端末が得られる。
【００２４】
また、本発明によれば、前記携帯電話端末において、前記電源部は、前記一対の筐体の折り畳み、スライド、及びスライド回転のいずれか１種の開閉動作によって起電力を発生する発電機を有することを特徴とする携帯電話端末が得られる。
【００２５】
また、本発明によれば、前記携帯電話端末において、前記一対の筐体は、前記開閉動作を可能とさせる開閉動機構を備え、前記発電機は、前記開閉機構の動作に連動して発電することを特徴とする携帯電話端末が得られる。
【００２６】
また、本発明によれば、前記携帯電話端末において、前記オゾン発生部は、前記発電機の起電力によってオゾンを生成し、前記密閉空間内に前記オゾンを供給することを特徴とする携帯電話端末が得られる。
【００２７】
また、本発明によれば、前記いずれか一つに記載の携帯電話端末において、前記デバイスは、操作入力ボタン、レシーバ、マイク、及び表示デバイスの内の少なくとも１種であることを特徴とする携帯電話端末が得られる。
【発明の効果】
【００２８】
本発明によれば、携帯電話端末表面の除菌やウィルス不活性化による感染症予防機能を有する携帯電話端末を提供することができる。
【図面の簡単な説明】
【００２９】
【図１】本発明の第１の実施の形態による携帯電話端末を示す平面図である。
【図２】図１の携帯電話端末を折り畳み動作（閉成動作）の途中の状態を示す側面断面図である。
【図３】図１の携帯電話端末を折り畳んだ状態（閉状態）を示す側面断面図である。
【図４】図１に示す携帯電話端末のオゾン生成部の一構成例を示すブロック図である。
【図５】図１に示す携帯電話端末のオゾン生成部の他の構成例を示すブロック図である。
【図６】図４に示すオゾン生成部の動作説明に供せられるフローチャートである。
【図７】本発明の第３の実施の形態による携帯電話端末の表示パネル側の筐体をスライドして操作部を露出させた状態（「開状態」）を示す断面図である。
【図８】図７の携帯電話端末の表示側をスライドして操作部を収容した状態（閉状態）を示す側面断面図である。
【発明を実施するための形態】
【００３０】
以下、本発明の実施の形態について図面を参照しながら説明する。
【００３１】
（第１の実施の形態）
図１は本発明の第１の実施の形態による携帯電話端末を示す平面図である。図２は図１の携帯電話端末を折り畳み（閉成動作）の途中の状態を示す側面断面図である。図３は図１の携帯電話端末を折り畳んだ状態（閉状態）を示す側面断面図である。図２及び図３においては、筐体部分は外郭のみ示し、内部の構成はハッチを設けることで省略されている。
【００３２】
図１を参照すると、操作入力部（第１の筐体）１０と表示パネル部（第２の筐体）２０は、蝶番等からなる嵌合部３０で繋がっている。開閉機構は、嵌合部３０によって構成され、この嵌合部３０を軸として、第１の筐体１０と第２の筐体２０を回転させ、重ねることにより折り畳むことができる構造になっている。
【００３３】
第１の筐体１０の一面には、操作入力ボタンを備えた操作部３が設けられ、嵌合部３０とは反対側の端部寄りの略中央部にマイク７が設けられている。一面のマイク７の近傍で、一側部寄りに、オゾン生成部１５が設けられている。
【００３４】
第２の筐体２０の一面には、表示デバイスである表示パネル４が設けられ、嵌合部３０と反対側の端部寄りにレシーバ６が設けられている。
【００３５】
ここで、本発明において、携帯電話端末の開閉動作とは、一対の筐体を折り畳んだり、開放して操作部３を露出させたり、収容したりする動作、または、一方の筐体に対して他方の筐体を相対的にスライドさせて、操作部を露出させたり、収容するか、もしくは一方の筐体に対して他方の筐体を相対的にスライド及び回転させて操作部3を露出したり、収容する動作を呼ぶ。また、本発明において、「開状態」とは、開閉動作の内の開成動作によって、操作部３が露出し、この操作部を操作可能とした状態を呼び、「閉状態」とは、筐体の開閉動作の内の閉成動作によって、操作部３が一対の筐体に収容され、且つ一方の筐体の下に隠れて使用不可能な状態を呼ぶ。
【００３６】
図１を再び参照すると、携帯電話端末１００は、折り畳み式の第１の筐体１０の縁１、第２の筐体２０の縁２の夫々は各筐体１０，２０の中央部より盛り上げて成形されている。なお、第１の実施の形態においては、第１の筐体１０の縁１、第２の筐体の縁２の両方が成形されている構成を有しているが、縁１及び縁２のいずれか一方のみを成形してもよい。これらの縁１及び２は、ＡＢＳ樹脂や強化プラスチックなどでの成形、またはエラストマーやゴムなどのパッキンを具備する。この縁１，２は、各筐体１０，２０の中央部よりも高さを有するので、携帯電話端末１００を折り畳み時、図３に示すように、縁１，２の対向端面が当接し、操作部３、レシーバ６及びマイク７を密閉できる密閉空間５が形成される。
【００３７】
図１に示すオゾン生成部１５は、この密閉空間５内にオゾンを生成することができるものである。
【００３８】
図３に示すように、折り畳み時において、第１の筐体１０の縁１、第２の筐体の縁２のどちらか、或いは両方によって形成される密閉空間によって、操作部３、レシーバ６及びマイク７が密閉される。さらに、この空間５内に、オゾン生成部１５によって、オゾンが生成され供給される。
【００３９】
図２及び図３に示すように、端末の折り畳みの開閉状態の検出手段として、閉状態において、第１の筐体１０及び第２の筐体の対向する位置に、それぞれマグネット１１及びホール素子１２を備える。なお、マグネット１１とホール素子１２の組み合わせは、符号１２で示されるものをマグネット、符号１１で示されるものをホール素子としても良いし、その他に、メカニカルスイッチによる開閉検出手段を用いても良い。
【００４０】
図４は図１に示す携帯電話端末のオゾン生成部１５の一構成例を示すブロック図である。図４を参照すると、オゾン生成部１５は、起電力を発生する電源部２１と、この発生した起電力を昇圧させる昇圧回路部２２と、これらの動作を制御するシステム制御部２３と、発生した起電力によって放電させてオゾンを生成するオゾン発生電極２６とを備えている。オゾン発生電極２６は、一定間隔で設置された針電極２４と平面電極２５とを有する。針電極は２４及び平面電極２５は、電源部２１及び昇圧回路部２２に夫々接続されている。
【００４１】
本発明の第１の実施の形態において、オゾン発生電極２６は、コロナ放電によって、オゾンを生成する構成であるが、コロナ放電に限らず、ストリーマ放電や無声放電などによって生成することもできる。これらの放電によって流れる電流は非常に小さく、約数μＡ程度であるため、小型装置での生成が可能である。
【００４２】
また、電源部２１は、一次電池、二次電池、及び電気二重層コンデンサ等の蓄電器でよいが、これらに限定されるものではない。
【００４３】
図５は、図１に示す携帯電話端末のオゾン生成部１５の他の構成例を示すブロック図である。図５を参照すると、図４とはオゾン発生電極２６の構成が異なっている以外は、図４の例と同じである。
【００４４】
図５において、オゾン発生電極２６は一対の平面電極２７，２８を備えている。一対の平面電極２７，２８は一定の間隔で平行に設置されており、各電極本体２７ａ，２８ａの表面はホウケイ酸ガラスや雲母などの絶縁体２７ｂ，２８ｂで覆われている。
【００４５】
図５に示す平面電極２７，２８は、図４の例と同様に、電源部２１と昇圧回路部２２で構成される回路に接続されている。また、電源部２１、昇圧回路部２２は、システム制御部２３と接続されている。
【００４６】
次に図４に示したオゾン生成部１５の動作を図６に示すフローチャートを使用して説明する。
【００４７】
図６を参照すると、折り畳み式の携帯電話端末１００が「閉」状態であるか、ホール素子１２によって検出を行い、携帯電話端末１００が「閉」状態となるまで当該処理は待機を行う（ステップＳ１段階）。
【００４８】
そして、「閉」状態を検出した場合、まず携帯電話端末のシステム内の内部タイマー（図示せず）を作動させ（ステップＳ２段階）、次に昇圧回路２２を接続する（ステップＳ３段階）。すると、電源部２１から供給された電圧が昇圧され、高電圧が針電極２４に印加され、平面電極２５との間にコロナ放電が発生する。ここで、コロナ放電によりオゾンが発生することは広く知られており、当該オゾン生成部においてもコロナ放電により密閉空間５内にオゾンが生成される（ステップＳ４段階）。
【００４９】
オゾン生成は、端末が「開」状態になるか、或いは内部タイマーが規定時間を経過するまで行われる（ステップＳ５段階）。
【００５０】
ここで、端末が「開」状態になったか、或いは内部タイマーが規定時間を経過した後（ステップＳ６段階）、昇圧回路２２を切断し（ステップＳ７段階）、オゾンの生成を停止させ（ステップＳ８段階）、そして、作動させていた内部タイマーをクリアし（ステップＳ９段階）、処理を終了する。
【００５１】
以上詳細に本発明の第１の実施の形態による携帯電話端末について述べたが、図２及び図３のホール素子１２による開閉検出手段や、図４及び図５の昇圧回路部２２は、当業者にとってよく知られており、また本発明の主要部とは直接関係しないので、その詳細な説明は省略する。
【００５２】
以上説明したように、本発明の第１の実施の形態においては、以下に記載するような効果を奏する。
【００５３】
本発明の第１の実施の形態による携帯電話端末が「閉」状態時、密閉空間５内に一定時間オゾンを生成する。オゾンは強い酸化力があることが知られており、上下水処理、医療、居住域や食品製造工程での殺菌、ウィルスの不活化や脱臭などに広く用いられている。このため、本発明によれば、当該端末の閉空間５内に存在する操作入力ボタン等の操作部３、レシーバ６、マイク７、表示パネル４など、利用者が直接触れたり、口元に近接しうるデバイスにオゾンにより、殺菌及び、ウィルスの不活性化を施すことができることである。
【００５４】
また、本発明の第１の実施の形態によれば、前記オゾンによる各デバイス周りの殺菌及ウィルスの不活性化の完了後、端末が「開」状態になるまで各デバイスは、密閉空間に格納されたままとなるので、各デバイスが清潔な状態を保つことができることである。
【００５５】
さらに、本発明の第１の実施の形態によれば、オゾンには消臭効果もあり、密閉空間内デバイスの殺菌やウィルス不活性化だけでなく、同時に消臭も行うことができるため、各デバイスに臭いが染み付くことが無く、利用者がより快適に携帯電話を利用することができることである。
【００５６】
（第２の実施の形態）
本発明の第２の実施の形態は、その基本的構成は第１の実施の形態と同様であるが、オゾン生成における制御方法が第１の実施の形態よりも、更に、改良されている。
【００５７】
図２を参照すると、第１の実施の形態において、折り畳み式端末の第１及び第２の筐体１０，２０は開閉機構をなす嵌合部３０を軸に回転する構成である。これに対して、本発明の第２の実施の形態においては、更に、嵌合部３０の軸上にコイルとマグネットにて構成される小型の発電機を設けている。この発電機は電源部２１に備えられ、折り畳み時に嵌合軸３０に加わる回転力が発電機に伝達され、起電力が生じる。この起電力を利用して昇圧回路部２２を経由してオゾン生成電極２６に印加することにより、オゾンを発生させることができる。
【００５８】
このように、本発明の第２の実施の形態では、折り畳み時に生じる起電力を利用してオゾンを生成しているので、オゾン生成のための電源を別途用意する必要が無いという効果が得られる。
【００５９】
さらに、本発明の第２の実施の形態では、折り畳み時にしかオゾンが生成されないため、余分にオゾンが発生することがなく、オゾン生成時間の制御に用いていた内部タイマーによる制御が不要となり、オゾン生成の制御をシンプルな構成とすることができるという効果も得られる。
【００６０】
（第３の実施の形態）
上記第１及び第２の実施の形態では、図２のような折り畳み式の携帯電話端末について述べたが、図７及び８に示したスライド式や回転スライド式などの携帯電話端末においても同様に、密閉空間を設けられる構造とすることで実現することができる。
【００６１】
図７は本発明の第３の実施の形態による携帯電話端末１００の表示パネル側の筐体をスライドして操作部を露出させた状態（「開状態」）を示す断面図である。図８は図７の携帯電話端末の表示パネル側の筐体をスライドして操作部を収容した状態（「閉状態」）を示す側面断面図である。図７及び図８においては、筐体部分は輪郭のみ示し、内部は省略されて、斜線が施こされている。
【００６２】
図７及び図８を参照すると、携帯電話端末１１０は、スライド式の筐体の操作入力部側（第１の筐体）６０と、表示パネル部側（第２の筐体）７０と、第１の筐体６０及び第２の筐体７０とを相対的にスライドさせるように連結する図示しない開閉機構とを備えている。
【００６３】
また、スライド式の筐体の操作入力部（第１の筐体）６０の縁１が中央部よりも高く盛り上げて成形されている。しかし、表示パネル部（第２の筐体）７０の縁２を高く形成しても良く、また、筐体６０，７０の縁１，２の両方を各筐体の中央部より盛り上げて成形しても良い。これら、第１の筐体６０の縁１及び第２の筐体７０の縁２のどちらか、或いは両方はＡＢＳ樹脂や強化プラスチックなどでの成形、またはエラストマーやゴムなどのパッキンを具備しても良い。
【００６４】
この第１の筐体６０の縁１及び第２の筐体７０の縁２によって、各筐体の中央部よりも高さを設けておき、当該携帯電話端末を重ね合わせた際に、図８に示すように操作部３及びマイク７を密閉できる密閉空間５を設けることができる。
【００６５】
また、端末の操作部の収容状態（開成状態）の検出手段として、第１の筐体６０および第２の筐体の対向面の同側の端部に、対向するように設けられたマグネット１１及びホール素子１２を備える。なお、マグネット１１とホール素子１２の組み合わせは、符号１２をマグネット、符号１１をホール素子としても良いし、メカニカルスイッチによる開閉検出手段を用いても良い。
【００６６】
図７を参照すると、第１の筐体６０と第２の筐体７０とは図示しない開閉機構によって、第１の筐体６０に対して第２の筐体７０を相対的にスライド可能とするとともに、第１の筐体と第２の筐体とを重ねる閉成動作を行うことにより操作入力ボタン等の操作部３を密閉空間５内に収容した閉状態となるように構成されている。
【００６７】
図８に示すように、携帯電話端末１１０は、第１及び第２の筐体６０，７０の重ね合わせ時（閉状態）において操作部３及びマイク７を密閉できる密閉空間５が作り出される。
【００６８】
また、図１に示すものと同様に、図７のマイク７の近辺にオゾン生成部が設けられているが図示は省略されている。オゾン生成部は、図８に示すように、操作部３及びマイク７を密閉できる密閉空間５内にオゾンを生成することができるものである。
【００６９】
なお、本発明の第３の実施の形態による携帯電話端末のオゾン生成部の構成および動作は、図４乃至図６の第１の実施の形態による携帯電話端末の動作と同様であるので、その説明を省略する。
【００７０】
以上説明したように、本発明の第３の実施の形態においては、以下に示すような効果を奏する。
【００７１】
本発明の第３の実施の形態による携帯電話端末が「閉」状態時、密閉空間５内に、オゾン生成部によって、一定時間オゾンを生成する。オゾンは強い酸化力があることが知られており、上下水処理、医療、居住域や食品製造工程での殺菌、ウィルスの不活化や脱臭などに広く用いられている。このため、本発明の第３の実施の形態によれば、当該端末の密閉空間５内に存在する操作入力ボタン等の操作部３及びマイク７など、利用者が直接触れたり、口元に近接しうるデバイスにオゾンにより、殺菌及び、ウィルスの不活性化を施すことができることである。
【００７２】
また、本発明の第３の実施の形態によれば、オゾンによる作部３及びマイク７などのデバイス周りの殺菌及ウィルスの不活性化の完了後、端末が「開」状態になるまで各デバイスは、密閉空間に格納されたままとなるので、各デバイスが清潔な状態を保つことができることである。
【００７３】
さらに、本発明の第３の実施の形態によれば、オゾンには消臭効果もあり、密閉空間内デバイスの殺菌やウィルス不活性化だけでなく、同時に消臭も行うことができるため、各デバイスに臭いが染み付くことが無く、利用者がより快適に携帯電話を利用することができることである。
【００７４】
以上、第１乃至第３の実施の形態を参照して、本発明を説明したが、本発明は上記実施の形態に限定されるものではない。本発明の構成や詳細には、本発明のスコープ内で当業者が理解しえる種々な変更をすることができる。
【産業上の利用可能性】
【００７５】
以上の説明の通り、本発明に係る携帯電話端末は、携帯電話端末表面の除菌やウィルス不活性化による感染症予防機能を有する携帯電話端末に適用することができる。
【符号の説明】
【００７６】
１，２    縁
３    操作部
４    表示パネル
５    空間
６    レシーバ
７    マイク
１０    操作入力部（第１の筐体）
１１    マグネット
１２    ホール素子
１５    オゾン生成部
２０    表示パネル部（第２の筐体）
２１    電源部
２２    昇圧回路部
２３    システム制御部
２４    針電極
２５    平面電極
２６    オゾン発生電極
２７，２８    平面電極
２７ａ，２８ａ    電極本体
２７ａ，２７ｂ    絶縁体
３０    嵌合部
６０    第１の筐体
７０    第２の筐体
１００    携帯電話端末
１１０    携帯電話端末
【図１】
2011124742.tif 000003
【図２】
2011124742.tif 000004
【図３】
2011124742.tif 000005
【図４】
2011124742.tif 000006
【図５】
2011124742.tif 000007
【図６】
2011124742.tif 000008
【図７】
2011124742.tif 000009
【図８】
2011124742.tif 000010